(57)【要約】      （修正有）【課題】防護服の廃棄時に、表面に付着したウィルスなどが飛散しないようにして、二次感染を確実に防ぐと共に、装着時における熱中病対策や防寒対策も配慮し、防護服の装着又は脱衣を容易に行い得るようにし、しかも、広告や宣伝媒体としても活用でき得るようにする。【解決手段】防水性、非透過性などの特性を有する素材で形成したつなぎ形態の防護服本体１の前面２に上方より股下部３の近傍位置まで開閉可能なファスナー４を取付けると共に、防護服本体１の内側５の背後位置に廃棄時の防護服本体１を収納するための収納袋部６を取付け、この収納袋部６の内面と外面の双方に結束バンドを取付けた感染症防護服である。【選択図】図１
0003141379.tif 000002
【実用新案登録請求の範囲】
【請求項１】
防水性、非透過性などの特性を有する素材で形成したつなぎ形態の防護服本体の前面に上方より股下近傍位置まで開閉可能なファスナーを取付けると共に、前記防護服本体の内側背後位置に廃棄時の防護服本体を収納するための収納袋部を取付け、この収納袋部の内面と外面の双方に結束バンドを取付けたことを特徴とする感染症防護服。
【請求項２】
前記防護服本体のフード部の内側位置にポケット部を取付け、このポケット部内に保冷剤等の冷却剤又は保温剤を収納した請求項１に記載の感染症防護服。
【請求項３】
前記防護服本体の首元位置にカバー部材片の基端を取付け、このカバー部材片の先端よりやや内側位置に両面接着テープを取付けた請求項１又は２に記載の感染症防護服。
【請求項４】
前記ファスナーをカバーする長尺状のカバー突出片の裏面に両面接着テープを設けた請求項１乃至３の何れか１項に記載の感染症防護服。
【請求項５】
請求項１における結束バンドは、環状のゴム紐である感染症防護服。
【請求項６】
前記防護服本体の表面の適宜位置に、企業広告などを入れる広告・宣伝媒体を表示した表示部を施した請求項１乃至５の何れか１項に記載の感染症防護服。
【考案の詳細な説明】
【技術分野】
【０００１】
本考案は、新型インフルエンザ、鳥インフルエンザなどの感染症対策用防護服であって、特に、ウィルス、バクテリアなどの感染から人体を保護するためのディスポーザブルタイプの感染症防護服に関する。
【背景技術】
【０００２】
一般に防護服には、化学薬品、粉塵や有害薬品などの環境下で装着するものと、インフルエンザなどの感染症対策用の防護服とがある。後者の感染症防護服は、ウィルスなどの感染から人体を守るための防護服であるため、ウィルス、バクテリアなどの微細病原菌からの二次感染を完全に防止し、汚染拡大防止のための防護服であることが必要である。
【０００３】
従来より、提案されている一般の防護服には、特許文献１に示された防護服がある。同文献１は、農薬や粉塵などの条件下において使用されるもので、透視面を有する頭部収容部からなる防護服に電動ファンからのダクトを接続し、頭部収容部内に洗浄化空気を圧入し、袖口部分から排出させるものである。
【０００４】
また、特許文献２は、フードを有する防護服であって、フード内周面に、冷却剤を収容するポケットを形成したものである。
【０００５】
更に、引用文献３は、頭部を有するつなぎ服タイプの感染防護服であって、この防護服と接続した空気ポンプと送気装置と電源を設けたものである。
【０００６】
【特許文献１】実開昭６３−１８９２６６号公報
【特許文献２】実用新案登録第３１２４２１０号公報
【特許文献３】特開２００５−２５４５号公報
【考案の開示】
【考案が解決しようとする課題】
【０００７】
しかしながら、特許文献１は、頭部をはじめ人体を密封状態に被覆して、防護服内に浄化空気を供給するものであるため、感染症防護服には不適なものであり、ディスポーザブルなものでもなく、また、廃棄時に、生地表面にウィルスが付着した使い捨ての防護服に対して、感染の拡大防止を配慮したものでもない。
【０００８】
また、特許文献２は、フード内に冷却剤を収容するようにした防護服ではあるが、使い捨ての際に、二次感染などを防止する配慮は全くなく、単に、防護服内にこもった熱気によって熱中症に侵されるのを防止する対策を施した防護服に過ぎない。
【０００９】
更に、特許文献３は、伝染病が広まるのを防止するのに用いる隔離防護用品に関するものであって、密封した防護服内に空気を送気するものであるため、使用済みの防護服を焼却廃棄する際に対応した構造にはなっていない。その上、防護服の人体への装着と脱衣についての配慮もなされていないので、感染症防護服に必要な条件を満たしているものではなく、感染症防護服としては使用価値の低いものである。
【００１０】
本考案は、上記の実情に鑑みて、鋭意検討の結果、開発に至ったものであり、その目的とするところは、防護服の廃棄時に、表面に付着したウィルスなどが飛散しないようにして、二次感染を確実に防ぐと共に、装着時における熱中病対策や防寒対策も配慮し、防護服の装着又は脱衣を容易に行い得るようにし、しかも、広告や宣伝媒体としても活用でき得ることにある。
【課題を解決するための手段】
【００１１】
上記目的を達成するために、請求項１に係る考案は、防水性、非透過性などの特性を有する素材で形成したつなぎ形態の防護服本体の前面に上方より股下近傍位置まで開閉可能なファスナーを取付けると共に、前記防護服本体の内側背後位置に廃棄時の防護服本体を収納するための収納袋部を取付け、この収納袋部の内面と外面の双方に結束バンドを取付けた感染症防護服である。
【００１２】
請求項２に係る考案は、前記防護服本体のフード部の内側位置にポケット部を取付け、このポケット部内に保冷剤等の冷却剤又は保温剤を収納した感染症防護服である。
【００１３】
請求項３に係る考案は、前記防護服本体の首元位置にカバー部材片の基端を取付け、このカバー部材片の先端よりやや内側位置に両面接着テープを取付けた感染症防護服である。
【００１４】
請求項４に係る考案は、前記ファスナーをカバーする長尺状のカバー突出片の裏面に両面接着テープを設けた感染症防護服である。
【００１５】
請求項５に係る考案は、結束バンドを環状のゴム紐としたものである。
【００１６】
請求項６に係る考案は、前記防護服本体の表面の適宜位置に、企業広告などを入れる広告・宣伝媒体を表示した表示部を施した感染症防護服である。
【考案の効果】
【００１７】
請求項１に係る考案によると、股下部位まで開閉可能なファスナーにより防護服の装着と脱衣が極めて容易に行い得られ、しかも、使用済の防護服を表面に付着しているおそれのあるウィルスなどが飛散することなく、廃棄することができ、汚染の拡大を確実に防ぐことができる。
【００１８】
請求項２に係る考案によると、防護服のフード部内に冷却剤を収納できるので、特に、夏期の期間において熱中病対策に寄与できる。また、保温剤を収納すると、冬期の防寒対策となる。
【００１９】
請求項３に係る考案によると、防護服の首元部位にカバー部材片を両面接着テープを介して装着できるので、首元からのウィルスの侵入を確実に防ぐことが可能となり、着用者の身体にフィットした位置で装着でき、しかも首元が安定するため、着用時の装着感を高めることができる。
【００２０】
請求項４に係る考案によると、防護服前面のファスナーを接着テープを介して被覆できるので、ファスナーより通気することなく、ウィルスの侵入を防ぐことができる。
【００２１】
請求項５に係る考案によると、防護服の裏側を表にしながら脱衣して、そのまま収納袋部に収納してゴムバンドで結束でき、廃棄時に極めて便利である。
【００２２】
請求項６に係る発明によると、防護服に企業広告などを入れることで広告宣伝機能を発揮させることもできる。
【考案を実施するための最良の形態】
【００２３】
本考案における感染症防護服の好ましい実施形態を、図面に基づいて説明する。
図１は、感染症防護服を着用者が装着した状態を示す概略正面図であり、図２は、同上のカバー突出片とカバー部材片を外した状態を示す概略正面図、図３は同上の背面図である。
【００２４】
図１において、１は防護服本体であり、この防護服本体１は、ポリオレフィン、ポリエチレン、ポリプロピレン等の適宜の合成樹脂で不織布状に成形され、ラミネート加工などを施して、防水性、非透過性並びに撥水性などの特性を有する素材で形成されている。
【００２５】
また、この防護服本体１は、上方よりフード部９、腕部１９ｂを有する上着部１９ａとズボン部１９ｃとから構成されたつなぎ形態を有し、腕部１９ｂの袖口は、ゴム付き袖口１８ａで、ズボン部１９ｃにはゴム付き足首部とフード部９の開口部位にゴム付き開口１８ｂが設けられている。
【００２６】
また、防護服本体１の前面２には、フード部９の開口１８ｂより股下部３の近傍位置まで開閉可能なファスナー４を取付けている。
【００２７】
このファスナー４は、図２に示すように、長尺状のカバー突出片１５を両面接着テープ１６を介して着脱可能に設けており、このカバー突出片１５の長さ方向の基端部を固着して開閉できるようにしている。
【００２８】
また、図３、図４並びに図５に示すように、防護服本体１の内側背後位置に、上方を開口し、かつ上方縁部を本体１の内側に固着６ｂした収納袋部６を設けている。この収納袋部６は、表面側上方を突出して突出片６ａを形成している。
【００２９】
更に、この収納袋部６の内外方下部の双方にゴム紐である結束バンド７，８を取付けて、廃棄時の防護服本体１を収納するように設け、収納後は、この結束バンド７又は８で収納袋部６の外周を結束するようにしている。また、このポケット部１０内に保温剤を収納すると、冬期の防寒対策となる。
【００３０】
また、図７において、防護服本体１のフード部９の内側位置に突出片１０ａを有するポケット部１０を取付け、このポケット部１０内に保冷剤などの冷却剤１１を収納して、防護服が防水性の素材で、特に、夏の暑い時期に熱中病のおそれがあるが、この保冷剤１１により、頭の後頭部から首筋にかけた部分を冷やせるようにしている。
【００３１】
また、図１、図２及び図６において、防護服本体１の首元位置１２に、カバー部材片１３の基端１３ａを固着している。
【００３２】
本例では、カバー部材片１３の基端１３ａをカバー突出片１５より突出形状に設けるか、又はカバー突出片１５の上端部に取付けている。図６に示すように、カバー部材片１３の先端よりやや内側位置（本例ではａを１ｃｍとしている。）に両面接着テープ１４を設け、脱衣時のカバー部材片１３を取外す際に、手指でこの部位を摘んで、容易に取外すことができる。
【００３３】
また、図１に示すように、防護服本体１の表面のポケット取付位置に、企業広告などを入れることにより、広告宣伝媒体として表示部１７を設けている。なお、図２０は、シューズカバー、２１は手袋であり、マスクやゴーグルは図示していない。
【００３４】
次に、上記の感染症防護服の着脱方法の一例について説明する。
まず、適宜にインナーを着用し、一層目のシューズカバーと手袋並びにマスクを装着し、次いで、ファスナー４を防護服本体１の股下部３まで開放し、かつフード部９の内側位置のポケット部１０に冷却剤１１又は保温剤を収納しておく。
【００３５】
着用者は、必要であれば、イスに腰掛けて、防護服本体１のズボン部１９ｃからはき、腕部１９ｂを通すと共に、ファスナー４を股下部３から上方へ引き上げて止める。この状態で、カバー突出片１５を両面接着テープ１６を介してファスナー４の上部を被覆する。
【００３６】
次いで、防護服本体１の首元位置１２のカバー部材片１３を両面接着テープ１４を介して、着用者の首元部位に接着させて、首元からのウィルスの侵入を防ぐようにする。この状態で、ゴーグル（図示しない）を締めて密着させ、二層目の手袋と、必要であれば、更にシューズカバー２０を装着する。
【００３７】
一方、防護服本体１を脱衣するには、二層目の手袋２１とシューズカバー２０を外し、感染症廃棄物バッグに廃棄する。
【００３８】
次いで、カバー部材片１３を外すと共に、ファスナー４を股下部３まで下ろして、本体１の前面２を開放する。
【００３９】
次いで、フード部９の裏面を表面にしながら、巻き込むようにすると共に、防護服本体１の外面に手が触れないようにしながら両肩を外し、片袖の上腕部１９ｂの内側を手でつかみながら、防護服本体１を裏返しながら腕を抜き、防護服本体１の内側を表面にして、外側を包み込むようにして脱ぐと共に、収納袋部６の内側又は外側を利用して、袋部内に内側を表面にしてつつみ込んだ防護服本体１を収納袋部６内に収納して、結束バンド７又は８によって袋部６の外方より結束して図８に示すように包装し、この包装物を感染症廃棄物バッグに入れて廃棄する。
【００４０】
この場合、ゴムバンド７又は８を付けることによって、密閉性を向上させることが可能となり、更に、図５に示すように、収納袋部６の表面と内面の双方に、ゴムバンド７，８を取付けることにより、収納時に、表面と裏面を全く気にすることなく、リバーシブルに利用でき、廃棄時の収納に極めて便利である。その他、一層内の手袋やシューズカバー或はインナーなどは、感染症廃棄物バッグに入れて廃棄する。
【図面の簡単な説明】
【００４１】
【図１】本考案における感染症防護服の装着状態の一例を示した概略正面図である。
【図２】同上において、カバー突出片などを外した状態を示す概略正面図である。
【図３】図１の背面図である。
【図４】収納袋部の拡大正面図である。
【図５】図４の断面図である。
【図６】カバー部材片の部分拡大図である。
【図７】フード部の拡大図である。
【図８】収納袋部に収納した廃棄状態の正面図である。
【符号の説明】
【００４２】
１  防護服本体
２  前面
３  股下部
４  ファスナー
６  収納袋部
７，８  結束バンド
９  フード部
１０  ポケット部
１１  冷却剤（又は保温剤）
１２  首元位置
１３  カバー部材片
１４  両面接着テープ
１５  カバー突出片
１６  両面接着テープ
１７  表示部
【図１】
0003141379.tif 000003
【図２】
0003141379.tif 000004
【図３】
0003141379.tif 000005
【図４】
0003141379.tif 000006
【図５】
0003141379.tif 000007
【図６】
0003141379.tif 000008
【図７】
0003141379.tif 000009
【図８】
0003141379.tif 000010